(57)【要約】【課題】読取部材に対向する搬送路形成部材を一つの部材として一体に構成したものと比較して、読み取り高さの変動を抑制することができる記録媒体搬送読取装置を提供する。【解決手段】記録媒体搬送読取装置は、画像を読み取る読取部を有する読取部材と、前記読取部材に対向し、当該読取部材と共に記録媒体が搬送される際の搬送路を形成する第１の面を有する第１の搬送路形成部材と、前記第１の搬送路形成部材と同じ側に搬送路を形成し、当該第１の搬送路形成部材の記録媒体搬送方向上流側の搬送路を形成する第２の面と、当該第１の搬送路形成部材の記録媒体搬送方向下流側の搬送路を形成する第３の面と、を有する第２の搬送路形成部材と、前記第１の搬送路形成部材を前記第２の搬送路形成部材に対して移動可能に前記読取部材側へ付勢する付勢部材と、前記読取部材と前記第１の搬送路形成部材との間が予め定められた距離となるように前記第１の搬送路形成部材の移動を規制する規制部と、を有する。【選択図】図４
2016096456.tif 000002
【特許請求の範囲】
【請求項１】
画像を読み取る読取部を有する読取部材と、
前記読取部材に対向し、当該読取部材と共に記録媒体が搬送される際の搬送路を形成する第１の面を有する第１の搬送路形成部材と、
前記第１の搬送路形成部材と同じ側に搬送路を形成し、当該第１の搬送路形成部材の記録媒体搬送方向上流側の搬送路を形成する第２の面と、当該第１の搬送路形成部材の記録媒体搬送方向下流側の搬送路を形成する第３の面と、を有する第２の搬送路形成部材と、
前記第１の搬送路形成部材を前記第２の搬送路形成部材に対して移動可能に前記読取部材側へ付勢する付勢部材と、
前記読取部材と前記第１の搬送路形成部材との間が予め定められた距離となるように前記第１の搬送路形成部材の移動を規制する規制部と、
を有する記録媒体搬送読取装置。
【請求項２】
前記読取部材は、当該読取部材の記録媒体搬送方向上流側に突出し、この突出して設けられた端部から記録媒体の搬送方向先端を前記第１の面に近づく方向に案内する第１の案内部材を有する請求項１記載の記録媒体搬送読取装置。
【請求項３】
前記読取部材は、当該読取部材の記録媒体搬送方向下流側に突出し、この突出して設けられた端部へ向けて記録媒体の搬送方向先端を前記第３の面に近づく方向に案内する第２の案内部材を有する請求項１又は２に記載の記録媒体搬送読取装置。
【請求項４】
前記第１の案内部材の記録媒体の搬送方向上流側の端部の前記第２の面に対向する側の面と前記第２の面との間の距離は、記録媒体の画像を読み取る読取位置の記録媒体の搬送方向上流側の前記読取部材の前記第１の面に対向する側の面と前記第１の面との間の距離に対して大きい請求項２記載の記録媒体搬送読取装置。
【請求項５】
前記第２の案内部材の記録媒体の搬送方向下流側の端部の前記第３の面に対向する側の面と前記第３の面との間の距離は、記録媒体の画像を読み取る読取位置の記録媒体の搬送方向下流側の前記読取部材の前記第１の面に対向する側の面と前記第１の面との間の距離に対して大きい請求項３記載の記録媒体搬送読取装置。
【請求項６】
前記読取部材の前記第１の面に対向する側の面と前記第１の面との間の距離は、記録媒体の画像を読み取る読取位置の記録媒体の搬送方向上流側から下流側に向けて大きくなるよう形成される請求項１乃至５いずれか記載の記録媒体搬送読取装置。
【請求項７】
前記搬送路面の境界において、記録媒体の搬送方向上流側の搬送路の方が、記録媒体の搬送方向下流側の搬送路に比較して狭くなるように配置されている請求項１乃至６いずれか記載の記録媒体搬送読取装置。
【請求項８】
前記第２の搬送路形成部材は、前記読取部材に対して搬送路を開閉可能である請求項１乃至７いずれか記載の記録媒体搬送読取装置。
【請求項９】
記録媒体の表面を読み取る第１の読取装置と、記録媒体の裏面を読み取る第２の読取装置と、を有し、
前記第２の読取装置は、
画像を読み取る読取部を有する読取部材と、
前記読取部材に対向し、当該読取部材と共に記録媒体が搬送される際の搬送路を形成する第１の面を有する第１の搬送路形成部材と、
前記第１の搬送路形成部材と同じ側に搬送路を形成し、当該第１の搬送路形成部材の記録媒体搬送方向上流側の搬送路を形成する第２の面と、当該第１の搬送路形成部材の記録媒体搬送方向下流側の搬送路を形成する第３の面と、を有する第２の搬送路形成部材と、
前記第１の搬送路形成部材を前記第２の搬送路形成部材に対して移動可能に前記読取部材側へ付勢する付勢部材と、
前記読取部材と前記第１の搬送路形成部材との間が予め定められた距離となるように前記第１の搬送路形成部材の移動を規制する規制部と、
を有する記録媒体搬送読取装置。
【発明の詳細な説明】
【技術分野】
【０００１】
本発明は、記録媒体搬送読取装置に関する。
【背景技術】
【０００２】
特許文献１には、原稿がメインローラとメイン補助ローラとの間に挟まれ、ずれ補正板により進入角度及び方向が規制されつつ、リニアイメージセンサの光軸方向下側へ搬送され、白色板の色基準面に突き当たり、該白色板の傾きに沿って色基準面上を搬送され、色基準面に接触状態にある原稿の画像がリニアイメージセンサにより読み取られ、排紙ローラと排紙補助ローラとに挟まれて排紙される構成が記載されている。
【先行技術文献】
【特許文献】
【０００３】
【特許文献１】特開２００３−３００６４５号公報
【発明の概要】
【発明が解決しようとする課題】
【０００４】
本発明は、読取部材に対向する搬送路形成部材を一つの部材として一体に構成したものと比較して、読み取り高さの変動を抑制することができる記録媒体搬送読取装置を提供することを目的とする。
【課題を解決するための手段】
【０００５】
請求項１に係る本発明は、画像を読み取る読取部を有する読取部材と、前記読取部材に対向し、当該読取部材と共に記録媒体が搬送される際の搬送路を形成する第１の面を有する第１の搬送路形成部材と、前記第１の搬送路形成部材と同じ側に搬送路を形成し、当該第１の搬送路形成部材の記録媒体搬送方向上流側の搬送路を形成する第２の面と、当該第１の搬送路形成部材の記録媒体搬送方向下流側の搬送路を形成する第３の面と、を有する第２の搬送路形成部材と、前記第１の搬送路形成部材を前記第２の搬送路形成部材に対して移動可能に前記読取部材側へ付勢する付勢部材と、前記読取部材と前記第１の搬送路形成部材との間が予め定められた距離となるように前記第１の搬送路形成部材の移動を規制する規制部と、を有する記録媒体搬送読取装置である。
【０００６】
請求項２に係る本発明は、前記読取部材は、当該読取部材の記録媒体搬送方向上流側に突出し、この突出して設けられた端部から記録媒体の搬送方向先端を前記第１の面に近づく方向に案内する第１の案内部材を有する請求項１記載の記録媒体搬送読取装置である。
【０００７】
請求項３に係る本発明は、前記読取部材は、当該読取部材の記録媒体搬送方向下流側に突出し、この突出して設けられた端部へ向けて記録媒体の搬送方向先端を前記第３の面に近づく方向に案内する第２の案内部材を有する請求項１又は２に記載の記録媒体搬送読取装置である。
【０００８】
請求項４に係る本発明は、前記第１の案内部材の記録媒体の搬送方向上流側の端部の前記第２の面に対向する側の面と前記第２の面との間の距離は、記録媒体の画像を読み取る読取位置の記録媒体の搬送方向上流側の前記読取部材の前記第１の面に対向する側の面と前記第１の面との間の距離に対して大きい請求項２記載の記録媒体搬送読取装置である。
【０００９】
請求項５に係る本発明は、前記第２の案内部材の記録媒体の搬送方向下流側の端部の前記第３の面に対向する側の面と前記第３の面との間の距離は、記録媒体の画像を読み取る読取位置の記録媒体の搬送方向下流側の前記読取部材の前記第１の面に対向する側の面と前記第１の面との間の距離に対して大きい請求項３記載の記録媒体搬送読取装置である。
【００１０】
請求項６に係る本発明は、前記読取部材の前記第１の面に対向する側の面と前記第１の面との間の距離は、記録媒体の画像を読み取る読取位置の記録媒体の搬送方向上流側から下流側に向けて大きくなるよう形成される請求項１乃至５いずれか記載の記録媒体搬送読取装置である。
【００１１】
請求項７に係る本発明は、前記搬送路面の境界において、記録媒体の搬送方向上流側の搬送路の方が、記録媒体の搬送方向下流側の搬送路に比較して狭くなるように配置されている請求項１乃至６いずれか記載の記録媒体搬送読取装置である。
【００１２】
請求項８に係る本発明は、前記第２の搬送路形成部材は、前記読取部材に対して搬送路を開閉可能である請求項１乃至７いずれか記載の記録媒体搬送読取装置である。
【００１３】
請求項９に係る本発明は、記録媒体の表面を読み取る第１の読取装置と、記録媒体の裏面を読み取る第２の読取装置と、を有し、前記第２の読取装置は、画像を読み取る読取部を有する読取部材と、前記読取部材に対向し、当該読取部材と共に記録媒体が搬送される際の搬送路を形成する第１の面を有する第１の搬送路形成部材と、前記第１の搬送路形成部材と同じ側に搬送路を形成し、当該第１の搬送路形成部材の記録媒体搬送方向上流側の搬送路を形成する第２の面と、当該第１の搬送路形成部材の記録媒体搬送方向下流側の搬送路を形成する第３の面と、を有する第２の搬送路形成部材と、前記第１の搬送路形成部材を前記第２の搬送路形成部材に対して移動可能に前記読取部材側へ付勢する付勢部材と、前記読取部材と前記第１の搬送路形成部材との間が予め定められた距離となるように前記第１の搬送路形成部材の移動を規制する規制部と、を有する記録媒体搬送読取装置である。
【発明の効果】
【００１４】
請求項１に係る本発明によれば、読取部材に対向する搬送路形成部材を一つの部材として一体に構成したものと比較して、読み取り高さの変動を抑制することができる。
【００１５】
請求項２に係る本発明によれば、請求項１に係る発明の効果に加え、読取部材の記録媒体搬送方向上流側における記録媒体の詰まりを防止することができる。
【００１６】
請求項３に係る本発明によれば、請求項１又は２に係る発明の効果に加え、読取部材の記録媒体搬送方向下流側における記録媒体の詰まりを防止することができる。
【００１７】
請求項４に係る本発明によれば、請求項２に係る発明の効果に加え、記録媒体を読取位置へ向けて案内することができる。
【００１８】
請求項５に係る本発明によれば、請求項３に係る発明の効果に加え、記録媒体を排出部材に向けて案内することができる。
【００１９】
請求項６に係る本発明によれば、請求項１乃至５いずれか記載の発明の効果に加え、読取位置において読み取り高さを安定させることができる。
【００２０】
請求項７に係る本発明によれば、請求項１乃至６いずれか記載の発明の効果に加え、搬送路面の境界での記録媒体の詰まりを防止することができる。
【００２１】
請求項８に係る本発明によれば、請求項１乃至７いずれか記載の発明の効果に加え、搬送途中で詰まった記録媒体を取り除くことができる。
【００２２】
請求項９に係る本発明によれば、両面を読み取る読取装置において、読取部材に対向する搬送路形成部材を一つの部材として一体に構成したものと比較して、裏面の読み取り高さの変動を抑制することができる。
【図面の簡単な説明】
【００２３】
【図１】本発明の一実施形態に係る記録媒体搬送読取装置の概略構成を示す図である。
【図２】本発明の一実施形態に係るＣＩＳ（Ｃｏｎｔａｃｔ  Ｉｍａｇｅ  Ｓｅｎｓｏｒ）の内部構造を説明するための図である。
【図３】本発明の一実施形態に係るＣＩＳを搬送路側からみた図である。
【図４】ＣＩＳの周辺における搬送路の構成を説明するための図である。
【図５】本発明の一実施形態に係る搬送路形成部材を示す図である。
【図６】図４の要部拡大図である。
【図７】本発明の一実施形態に係るＣＩＳ周辺の構成を示し、搬送路形成部材が閉塞されている状態を示す図である。
【図８】本発明の一実施形態に係るＣＩＳ周辺の構成を示し、搬送路形成部材が開放されている状態を示す図である。
【発明を実施するための形態】
【００２４】
次に、本発明を実施するための一形態を図面を参照して説明する。
図１は本実施の形態が適用される記録媒体搬送読取装置１０の全体構成を示す図である。この記録媒体搬送読取装置１０は、積載された記録媒体束から記録媒体を順次搬送する記録媒体送り装置１２と、スキャンによって記録媒体の第１面（表面）の画像を読み取るスキャナ装置１４とを備えている。
【００２５】
記録媒体送り装置１２は、複数枚の記録媒体からなる記録媒体束を積載する記録媒体収容部１６、この記録媒体収容部１６の下方に設けられ、読み取りが終了した記録媒体を積載する排紙収容部１８を備える。また、記録媒体送り装置１２は記録媒体収容部１６の記録媒体を取り出して搬送する取り出しロール２０を備える。さらに、取り出しロール２０の記録媒体搬送方向下流側には、記録媒体を一枚ずつ捌く捌き機構２２が設けられる。この捌き機構２２は、取り出しロール２０により供給される記録媒体をさらに下流側に向けて搬送するフィードロール２２ａ、取り出しロール２０により供給される記録媒体を一枚ずつに捌くリタードロール２２ｂを有する。記録媒体が搬送される搬送路２４には、記録媒体搬送方向上流側から順に、プレレジロール２６、レジロール２８、プラテンロール３０、アウトロール３２、および排出ロール３４が設けられる。プレレジロール２６は、一枚ずつに捌かれた記録媒体を下流側のロールに向けて搬送すると共に記録媒体のループ形成を行う。レジロール２８は、回転し一旦停止した後にタイミングを合わせて回転を再開し、後述する記録媒体読取部に対してレジストレーション調整を施しながら記録媒体を供給する。プラテンロール３０は、スキャナ装置１４にて読み込み中の記録媒体搬送をアシストする。アウトロール３２は、スキャナ装置１４にて読み込まれた記録媒体をさらに下流に搬送する。そして、排出ロール３４は、読み込まれた記録媒体をさらに搬送すると共に排紙収容部１８に排出する。
また、記録媒体送り装置１２において、アウトロール３２と排出ロール３４との間には、記録媒体の第２面（裏面）の画像を読み取るＣＩＳ（Ｃｏｎｔａｃｔ  Ｉｍａｇｅ  Ｓｅｎｓｏｒ：密着イメージセンサ）３６が設けられている。
【００２６】
一方、スキャナ装置１４は、上述した記録媒体送り装置１２を開閉可能に支持すると共に、この記録媒体送り装置１２を装置フレーム３８によって支え、また、記録媒体送り装置１２によって搬送される記録媒体の画像読み取りを行っている。このスキャナ装置１４は、筐体を形成する装置フレーム３８、画像を読み込むべき記録媒体を静止させた状態で置くことが可能な第１プラテンガラス４０Ａ、記録媒体送り装置１２によって搬送される記録媒体を読み取るための光の開口部を有する第２プラテンガラス４０Ｂを備えている。
【００２７】
また、スキャナ装置１４は、第２プラテンガラス４０Ｂの下に静止し、あるいは第１プラテンガラス４０Ａの全体にわたってスキャンして画像を読み込むフルレートキャリッジ４２、フルレートキャリッジ４２から得られた光を結像部へ供給するハーフレートキャリッジ４４を備えている。フルレートキャリッジ４２は、記録媒体に光を照射する照明ランプ４６、記録媒体から得られた反射光を受光する第１ミラー４８Ａを備えている。さらに、ハーフレートキャリッジ４４は、第１ミラー４８Ａから得られた光を結像部へ提供する第２ミラー４８Ｂおよび第３ミラー４８Ｃを有している。さらにまた、スキャナ装置１４は、結像用レンズ５０およびＣＣＤ（Ｃｈａｒｇｅ  Ｃｏｕｐｌｅｄ  Ｄｅｖｉｃｅ）イメージセンサ５２を備えている。これらのうち、結像用レンズ５０は、第３ミラー４８Ｃから得られた光学像を光学的に縮小する。また、ＣＣＤイメージセンサ５２は、結像用レンズ５０によって結像された光学像を光電変換する。つまり、スキャナ装置１４では、所謂縮小光学系を用いてＣＣＤイメージセンサ５２に像を結像させている。そして、スキャナ装置１４は、制御・画像処理ユニット５４をさらに備える。制御・画像処理ユニット５４は、ＣＣＤイメージセンサ５２や後で詳述するＣＩＳ３６から入力される記録媒体の表裏面の画像データに所定の処理を施す。また、制御・画像処理ユニット５４は、読み取り装置の読み取り動作における各部の動作を制御する。
【００２８】
第１プラテンガラス４０Ａに載置された記録媒体の画像を読み取る固定読み取りモードでは、フルレートキャリッジ４２とハーフレートキャリッジ４４とが、２：１の割合でスキャン方向（矢印方向）に移動する。このとき、フルレートキャリッジ４２の照明ランプ４６の光が記録媒体の被読み取り面に照射される。そして、記録媒体からの反射光が第１ミラー４８Ａ、第２ミラー４８Ｂ、および第３ミラー４８Ｃの順に反射されて結像用レンズ５０に導かれる。結像用レンズ５０に導かれた光は、ＣＣＤイメージセンサ５２の受光面に結像される。ＣＣＤイメージセンサ５２は１次元のセンサであり、１ライン分を同時に処理している。このライン方向（スキャンの副走査方向）にフルレートキャリッジ４２およびハーフレートキャリッジ４４を移動させ、記録媒体の次のラインを読み取る。これを記録媒体全体に亘って実行することで、１ページの記録媒体読み取りを完了させる。
【００２９】
一方、第２プラテンガラス４０Ｂは、例えば長尺の板状構造をなす透明なガラスプレートで構成される。記録媒体送り装置１２によって搬送される記録媒体の画像を読み取る搬送読み取りモードでは、搬送される記録媒体がこの第２プラテンガラス４０Ｂの上を通過する。このとき、フルレートキャリッジ４２およびハーフレートキャリッジ４４は、図１に示す実線の位置に停止した状態におかれる。そして、記録媒体送り装置１２のプラテンロール３０を経た記録媒体の１ライン目の反射光が、第１ミラー４８Ａ、第２ミラー４８Ｂ、および第３ミラー４８Ｃを経て結像用レンズ５０にて結像され、ＣＣＤイメージセンサ５２によって画像が読み込まれる。すなわち、１次元のセンサであるＣＣＤイメージセンサ５２によって主走査方向の１ライン分を同時に処理した後、記録媒体送り装置１２によって搬送される記録媒体の次の主走査方向の１ライン分が読み込まれる。記録媒体の先端が第２プラテンガラス４０Ｂの読み取り位置に到達した後、この記録媒体の後端が第２プラテンガラス４０Ｂの読み取り位置を通過することによって、副走査方向に亘って１ページの記録媒体の読み取りが完了する。
【００３０】
本実施の形態では、このようにフルレートキャリッジ４２とハーフレートキャリッジ４４とを停止させ、第２プラテンガラス４０Ｂを介してＣＣＤイメージセンサ５２により記録媒体の第１面の読み取りを行う記録媒体の搬送時に、ＣＩＳ３６によって、一括して記録媒体の第２面の読み取りを行うことが可能である。すなわち、ＣＣＤイメージセンサ５２とＣＩＳ３６とを用いて、搬送路２４への記録媒体の一度の搬送で、この記録媒体における表裏両面の画像を読み取ることを可能としている。ここで、本実施の形態では、ＣＣＤイメージセンサ５２による記録媒体の第１面の読み取り位置よりも、ＣＩＳ３６による記録媒体の第２面の読み取り位置を、記録媒体搬送方向下流側にずらしている。
【００３１】
図２は、ＣＩＳ３６の内部構成を説明するための図である。読取部材として機能するＣＩＳ３６は、図１に示したようにアウトロール３２と排出ロール３４との間に設けられる。記録媒体の片面（第１面）は、第２プラテンガラス４０Ｂに押し当てられ、この第１面の画像はＣＣＤイメージセンサ５２にて読み込まれる。一方、ＣＩＳ３６では、搬送路２４を介して対向する他方の側から、片面（第２面）の画像が読み込まれる。このＣＩＳ３６は、ハウジング５６、ガラス５８、ＬＥＤ（Ｌｉｇｈｔ  Ｅｍｉｔｔｉｎｇ  Ｄｉｏｄｅ）アレイ６０、ロッドレンズアレイ６２、およびラインセンサ６４を備えている。これらのうち、ガラス５８は、ハウジング５６の搬送路２４側に形成された開口に装着される。また、ＬＥＤアレイ６０は、ガラス５８を介して記録媒体の第２面に光を照射する。ロッドレンズアレイ６２は、ＬＥＤアレイ６０からの照射光の反射光を読取位置Ａにて集光する。ラインセンサ６４は、ロッドレンズアレイ６２により集光された光を読み取る。そして、ラインセンサ６４としては、ＣＣＤやＣＭＯＳセンサ、密着型センサ等を用いることができ、実寸幅（例えばＡ４長手幅２９７ｍｍ）の画像を読み取ることが可能である。つまり、ＣＩＳ３６では、縮小光学系を用いずにロッドレンズアレイ６２およびラインセンサ６４を用いた所謂等倍光学系にて画像の取り込みを行う。
【００３２】
図３は、ＣＩＳ３６を搬送路２４側からみた図である。
【００３３】
ＣＩＳ３６の筐体を形成するハウジング５６は、例えば直方体形状であって、搬送路２４と対向する面の記録媒体の搬送方向上流側に突出して設けられた第１の案内部材６６と、記録媒体の搬送方向下流側に突出して設けられた第２の案内部材６８とを備えている。
【００３４】
ハウジング５６の搬送路２４側に装着されたガラス５８の長手方向の一端側には搬送路２４側に突出した第１の規制部７０と第２の規制部７２が設けられ、他端側には第３の規制部７４が設けられている。
【００３５】
第１の規制部７０は、ガラス５８の記録媒体搬送方向上流側に設けられ、第２の規制部７２は、この第１の規制部７０のガラス５８を挟んだ記録媒体搬送方向下流側に設けられている。第３の規制部７４は、ガラス５８の長手方向の他端側に設けられている。
【００３６】
図４は、ＣＩＳ３６の周辺における搬送路２４の構成を説明するための図であり、図５は、搬送路２４の一部を構成する搬送路形成部材７８をＣＩＳ３６側からみた斜視図を示す図である。また、図６は図４の要部拡大図である。
【００３７】
ＣＩＳ３６と排出ロール３４の間の搬送路２４には、記録媒体の通過を検知する通過センサ７９が設けられている。ＣＩＳ３６により画像情報が読み取られた記録媒体は、通過センサ７９により検知されて、排出ロール３４により装置外へ排出される。
【００３８】
ＣＩＳ３６と対向する側には、搬送路２４の一部を構成する搬送路面７６を備えた搬送路形成部材７８が設けられている。図４で示すように、この搬送路形成部材７８は、側面視で扁平な略台形状に形成されており、その上面側が搬送路面７６とされている。
【００３９】
搬送路形成部材７８は、搬送路面７６の一部を形成し、ＣＩＳ３６と対向して設けられた第１の搬送路形成部材８０と、搬送路面７６の一部を形成し、この第１の搬送路形成部材８０の記録媒体搬送方向上流側と下流側に上面が連続して設けられた第２の搬送路形成部材８２と、から構成されている。第１の搬送路形成部材８０は、第２の搬送路形成部材８２に対して移動可能に設けられている。
【００４０】
第１の搬送路形成部材８０は、ＣＩＳ３６と対向して設けられ、搬送路２４を形成する第１の面７６Ｃを有する支持部材８４と、支持部材８４のＣＩＳ３６と対向する側の反対側から付勢する例えば圧縮コイルばね等の付勢部材８６を有している。支持部材８４は、記録媒体搬送方向上流側から下流側に向けて肉厚に形成されている。
【００４１】
第２の搬送路形成部材８２の上面側は、搬送路２４を形成し、第１の面７６Ｃの記録媒体搬送方向上流側に配置される第２の面７６Ａと、略中央に形成された凹部８３と、搬送路２４を形成し、第１の面７６Ｃの記録媒体搬送方向下流側に配置される第３の面７６Ｂとを有している。
【００４２】
第２の搬送路形成部材８２の凹部８３には、付勢部材８６を介して支持部材８４が装着される。また、第１の搬送路形成部材８０の記録媒体の搬送方向上流側は、軸８５で第２の搬送路形成部材８２と連結され、第２の搬送路形成部材８２に対して搖動可能に支持されている。第１の搬送路形成部材８０の記録媒体搬送方向下流側は、不図示のスナフト部品で第２の搬送路形成部材８２から抜けないように固定されている。
【００４３】
すなわち、搬送路２４を形成する第２の面７６Ａと第１の面７６Ｂと第３の面７６Ｃとは連続して設けられ、第１の搬送路形成部材８０は、第２の搬送路形成部材８２の凹部８３内で付勢部材８６を介して付勢されて、第１の搬送路形成部材８０が第２の搬送路形成部材８２に対して移動自在にフローティングする構造となっており、ＣＩＳ３６下方に搬送された記録媒体を下方（搬送路形成部材７８側）からＣＩＳ３６に向けて押し上げる構造となっている。また、第１の搬送路形成部材８０は、ＣＩＳ３６の対向する側に配置され、フローティングする部分を最小限にして装置の小型化を図っている。
【００４４】
第１の案内部材６６は、ＣＩＳ３６から記録媒体搬送方向上流側に突出して設けられ、第２の面７６Ａ上方に配置される端部６７から第１の面７６Ｃ上方まで延び、端部６７から記録媒体の搬送方向先端を第１の面７６Ｃに近づく方向に案内する。すなわち、端部６７が上向きである（第２の面７６Ａから離れている）。
【００４５】
第２の案内部材６８は、ＣＩＳ３６から記録媒体搬送方向下流側に突出して設けられ、第１の面７６Ｃ上方から第３の面７６Ｂ上方まで延び、端部６９へ向けて記録媒体の搬送方向先端を第３の面７６Ｂに近づく方向に案内する。すなわち、端部６９が下向きである（第３の面７６Ｂに近づいている）。
【００４６】
第１の案内部材６６の端部６７の第２の面７６Ａに対向する側の面と第２の面７６Ａとの間の距離ａは、読取位置Ａの記録媒体搬送方向上流側のＣＩＳ３６の第１の面７６Ｃに対向する側の面と第１の面７６Ｃとの間の距離ｂに対して大きい。また、第２の案内部材６８の端部６９の第３の面７６Ｂに対向する側の面と第３の面７６Ｂとの間の距離ｃは、読取位置Ａの記録媒体搬送方向下流側のＣＩＳ３６の第１の面７６Ｃに対向する側の面と第１の面７６Ｃとの距離ｄに対して大きい。また、ＣＩＳ３６の第１の面７６Ｃに対向する側の面と第１の面７６Ｃとの間の距離は、読取位置Ａの上流側から下流側にかけて大きくなっている。
【００４７】
また、第２の面７６Ａと第１の面７６Ｃとの境界は、記録媒体の搬送方向上流側にある第２の面７６Ａが下流側にある第１の面７６Ｃに対して距離ｅ分搬送路２４が狭く形成されている。このとき第２の面７６Ａの角部はＲ状に形成される。また、第１の面７６Ｃと第３の面７６Ｂとの境界は、記録媒体の搬送方向上流側にある第１の面７６Ｃが下流側にある第３の面７６Ｂに対して距離ｆ分搬送路２４が狭く形成されている。このとき第１の面７６Ｃの角部は、Ｒ状に形成される。すなわち、第２の面７６Ａと第１の面７６Ｃと第３の面７６Ｂとの境界において、記録媒体搬送方向上流側の搬送路２４の方が、下流側の搬送路２４に比較して狭くなるように配置されて連続して形成され、搬送路面間の境界での記録媒体の詰まりが防止される。
【００４８】
すなわち、アウトロール３２から搬送された記録媒体は、第１の搬送路２４ａ（第２の面７６Ａ上）を搬送され、第１の案内部材６６に案内されてＣＩＳ３６と第１の面７６Ｃとの間に形成された第３の搬送路２４Ｃを搬送される。その際、記録媒体は、付勢部材８６の付勢力によりＣＩＳ３６側へ押しつけられつつ搬送される。このとき、第１の搬送路形成部材８０は、第１の規制部７０、第２の規制部７２及び第３の規制部７４によりＣＩＳ３６と記録媒体との間が予め定められた距離となるよう読み取り高さを一定に保持した状態で移動を規制されている。そして、第２の案内部材６８に導かれて、第２の搬送路２４Ｂ（第３の面７６Ｂ上）を搬送されて通過センサ７９によって通過を検知されて排出ロール３４から排出される。すなわち、読取位置Ａに搬送された記録媒体は、ＣＩＳ３６側へ押しつけられつつ、３点で支持されて、読み取り高さ（焦点距離）が一定に保持されている。また、記録媒体の詰まり（ジャム）が防止されて、速やかに搬送される。
【００４９】
第２の規制部７２の第１の面７６Ｃと接する接地面積は、第１の規制部７０の第１の面７６Ｃと接する接地面積よりも大きく、第３の規制部７４の第１の面７６Ｃと接する面積は、第２の規制部７２の第１の面７６Ｃと接する接地面積よりも大きい。すなわち、第１の搬送路形成部材８０に対してＣＩＳ３６が３点で支持されて、ガタつかなくなる。
【００５０】
図７及び図８は、本発明の一実施形態に係るＣＩＳ３６周辺の構成を示し、図７は、搬送路面７６が閉塞されている状態を示し、図８は、搬送路面７６が開放されている状態を示す図である。
【００５１】
搬送路形成部材７８は、記録媒体搬送方向下流側（排出ロール３４側）である一端部９０Ａ側が、記録媒体搬送読取装置の記録媒体送り装置１２の装置本体１２Ａに回転可能に支持されている。詳細には、搬送路形成部材７８の一端部９０Ａ側に形成された貫通孔（図示省略）に、装置本体１２Ａに設けられた支軸９２が挿入されている。
【００５２】
したがって、搬送路形成部材７８の他端部９０Ｂ側は、その支軸９２を中心に上下方向に移動可能に支持され、装置本体１２Ａから離れる方向である下方へ移動（回転）することにより、搬送路２４の一部を開放させることができるようになっている。
【００５３】
また、この搬送路形成部材７８の回転軸方向側の側壁部のうち、記録媒体送り装置１２の開放側における側壁部９６には、掛止部材の一例としてのフック部材９８と操作部材の一例としてのレバー部材１００が設けられている。このフック部材９８とレバー部材１００は、搬送路形成部材７８の記録媒体搬送方向上流側である他端部９０Ｂ側に回転可能に設けられた回転軸１０２に取り付けられており、一体的に回転するようになっている。
【００５４】
詳細には、フック部材９８の下端部には、円環部９８Ａが一体に形成されており、その円環部９８Ａが回転軸１０２に嵌められて固着されている。そして、レバー部材１００の上端部には、円環部９８Ａが一体に形成されており、その円環部９８Ａが回転軸１０２に嵌められて固着されている。更に、このフック部材９８は、図示しないトーションバネ等の付勢部材により、装置本体１２Ａに設けられた被掛止部の一例としての引掛部１０４に掛止される方向（図示の時計回り方向）へ常に付勢されている。
【００５５】
したがって、このフック部材９８は、図７で示す（搬送路形成部材７８による）搬送路２４の閉塞時には、常に引掛部１０４に掛止されるようになっている。そして、回転軸１０２を中心としたレバー部材１００の下方向（図示の反時計回り方向）への回転操作に伴って、フック部材９８が一体的に同方向へ向かって回転することにより、引掛部１０４から離脱されるようになっている。これにより、搬送路形成部材７８のロック（搬送路２４の閉塞状態）が解除される構成である。
【００５６】
また、この搬送路形成部材７８の側壁部９６には、搬送路形成部材７８の他端部９０Ｂ側が支軸９２を中心に下方へ移動したときに、装置本体１２Ａの係止部１０６に当たって、その移動が規制されるようにする被係止部１０８を備えた支持部材の一例としてのリンク部材１１０が設けられている。
【００５７】
このリンク部材１１０は、薄板状のベース部１１２と、そのベース部１１２の板厚方向に一体に形成された厚板状の被係止部１０８と、を含んで構成されており、搬送路形成部材７８と同軸で相対回転可能とされている。詳細には、このリンク部材１１０の一端部側には、円環部１１４が形成されており、その円環部１１４が、搬送路形成部材７８の貫通孔周りに突設された円筒状のボス部１１６に相対回転可能に嵌められて取り付けられている。
【００５８】
そして、このリンク部材１１０のベース部１１２において、円環部１１４とは反対側である他端部側には、鈎状の取付部１１８が形成されている。この取付部１１８に付勢部材の一例としてのコイルバネ１２０の一端部が取り付けられており、コイルバネ１２０の他端部は、搬送路形成部材７８の側壁部９６における他端部９０Ｂ側、即ち回転軸１０２に隣接した位置に設けられた取付部１２２に取り付けられている。
【００５９】
このコイルバネ１２０により、後述する突起部１２４が後述するストッパー部１２６に接触する方向（図示の時計回り方向）へ、常に付勢される構成である。すなわち、リンク部材１１０（ベース部１１２）の取付部１２２の直下部分には、板厚方向に平板状に突出する規制部の一例としてのストッパー部１２６が形成されている。
【００６０】
そして、搬送路形成部材７８の側壁部９６には、コイルバネ１２０によって図示の時計回り方向へ付勢され、ストッパー部１２６に接触する（当たる）被規制部の一例としての突起部１２４が形成されている。この突起部１２４は、ストッパー部１２６に対して垂直に当たる（線接触する）リブ状とされており、この突起部１２４により、搬送路形成部材７８の他端部９０Ｂ側の装置本体１２Ａに近づく方向の相対回転が規制されるようになっている。
【００６１】
ここで、記録媒体が搬送路面上で滞留してしまった（所謂ジャムが発生した）場合には、記録媒体送り装置１２の手前側を、奥側のヒンジ部を支点として上方へ持ち上げ、レバー部材１００を露出させる。そして、そのレバー部材１００を下方へ回転操作する。すると、一対のフック部材９８が、装置本体１２Ａの引掛部１０４から離脱し、図８で示すように、搬送路形成部材７８の他端部９０Ｂ側が、一端部９０Ａ側における支軸９２を回転中心として自重で下方へ移動し、搬送路２４（搬送路面）を開放する。
【００６２】
ここで、リンク部材１１０は、搬送路形成部材７８に対して相対回転可能に構成されているので、図８で示すように、搬送路形成部材７８の他端部９０Ｂ側は、リンク部材１１０の被係止部１０８が係止部１０６に係止された状態のまま、コイルバネ１２０の付勢力に抗して（コイルバネ１２０が伸びて）、下方（図示の反時計回り方向）へ移動する。なお、このとき、突起部１２４はストッパー部１２６から離れる。
【００６３】
これにより、搬送路形成部材７８の他端部９０Ｂ側が開放され、搬送路２４が大きく開放される。よって、搬送路面上に滞留した記録媒体を取り除くことが容易にできる。つまり、これによれば、記録媒体送り装置１２における保全性を向上させることができる。
【００６４】
また、このように、搬送路形成部材７８の他端部９０Ｂ側を開放させることができるようになっていると、ＣＩＳ３６の読取面を、搬送路形成部材７８の下方への移動によって開放された装置本体１２Ａの開放面１２Ｂと垂直な方向から見えるように露出させることができる。したがって、その読取面の清掃（ＣＩＳ３６のメンテナンス）等が容易にでき、記録媒体送り装置１２における保全性を更に向上させることができる。
【産業上の利用可能性】
【００６５】
以上で説明をしたように、本発明は、複写機、ファクシミリ装置、プリンタ等の画像形成装置に適用することができる。
【符号の説明】
【００６６】
１０・・・記録媒体搬送読取装置
１２・・・記録媒体送り装置
１４・・・スキャナ装置
２４・・・搬送路
３２・・・アウトロール
３４・・・排出ロール
３６・・・読取部材（ＣＩＳ）
６６・・・第１の案内部材
６８・・・第２の案内部材
７６Ａ・・・第２の面
７６Ｂ・・・第３の面
７６Ｃ・・・第１の面
８０・・・第１の搬送路形成部材
８２・・・第２の搬送路形成部材
８４・・・支持部材
８６・・・付勢部材
【図１】
2016096456.tif 000003
【図２】
2016096456.tif 000004
【図３】
2016096456.tif 000005
【図４】
2016096456.tif 000006
【図５】
2016096456.tif 000007
【図６】
2016096456.tif 000008
【図７】
2016096456.tif 000009
【図８】
2016096456.tif 000010